【手続補正書】
【提出日】令和3年6月2日(2021.6.2)
【手続補正１】
【補正対象書類名】特許請求の範囲
【補正対象項目名】全文
【補正方法】変更
【補正の内容】
【特許請求の範囲】
【請求項１】
ビューアーの位置に基づいてディスプレイに表示されるマルチ・ビュー・コンテンツを観察するための位置決め区域内に少なくとも部分的に配置されたトリガ領域を画定することと、
前記ビューアーの位置が前記トリガ領域内に位置付けられるとき、１つ又は複数のインセンティブ効果をトリガすることと、
を含む、方法。
【請求項２】
前記位置決め区域及び前記トリガ領域が、両方ともピラミッド形状を有する、請求項１に記載の方法。
【請求項３】
前記１つ又は複数のインセンティブ効果が、
前記トリガ領域内の前記ビューアーの位置に応じて表示画面を暗くするための減光効果と、
前記トリガ領域内でのビューアーの動きに関連付けられる視差効果の強度を適応させるための視差強度効果と、
前記表示画面上での方向を示す１つ又は複数の視覚的合図と、
のうち、少なくとも１つを含む、請求項１又は２に記載の方法。
【請求項４】
前記減光効果は、前記トリガ領域内に位置付けられた前記ビューアーの位置に関連付けられる画角が増すときに増大する、請求項３に記載の方法。
【請求項５】
前記減光効果が、前記ビューアーの位置の前記画角とともに直線的に増大する、請求項４に記載の方法。
【請求項６】
前記トリガ領域内に位置付けられた前記ビューアーの位置に関連付けられる前記画角が増すと、前記視差強度効果によって、前記画面に表示される前記マルチ・ビュー・コンテンツに現れる各要素の移動速度が低下する、請求項３〜５のいずれか一項に記載の方法。
【請求項７】
前記１つ又は複数のインセンティブ効果が可逆的である、請求項１〜６のいずれか一項に記載の方法。
【請求項８】
前記１つ又は複数のインセンティブ効果は、
１つ又は複数の可逆インセンティブ効果と、
前記トリガ領域内の前記ビューアーの位置に応じて表示画面を暗くするための減光効果と、
前記トリガ領域内でのビューアーの動きに関連付けられる視差効果の強度を適応させるための視差強度効果と、
のうち、少なくとも１つを含む、請求項１〜６のいずれか一項に記載の方法。
【請求項９】
前記トリガ領域内に位置付けられた前記ビューアーの位置に関連付けられる画角が変化するときに、前記１つ又は複数のインセンティブ効果は変化する、請求項１〜６のいずれか一項に記載の方法。
【請求項１０】
前記マルチ・ビュー・コンテンツが取得装置によって取得されており、前記位置決め区域が、前記取得装置の１つ又は複数の得られた取得パラメータ、及び前記表示画面の１つ又は複数の得られたパラメータに基づいて確立される、請求項１〜９のいずれか一項に記載の方法。
【請求項１１】
前記マルチ・ビュー・コンテンツは、視差効果により表示され、前記示唆効果は、前記ビューアーの頭の検出位置に基づいて生成される、請求項１〜１０のいずれか一項に記載の方法。
【請求項１２】
ビューアーの位置に基づいてディスプレイに表示されるマルチ・ビュー・コンテンツを観察するための位置決め区域内に少なくとも部分的に配置されたトリガ領域を画定する手段と、
前記ビューアーの位置が前記トリガ領域内に位置付けられるとき、１つ又は複数のインセンティブ効果をトリガする手段と、
を備える、機器。
【請求項１３】
前記トリガ領域内に位置付けられた前記ビューアーの頭の位置に関連付けられる画角が増すと、前記減光効果が前記表示画面の明度を低下させ、またその逆のことも言える、請求項１２に記載の機器。
【請求項１４】
前記位置決め区域及び／又は前記トリガ区域を表示するように構成される、請求項１２又は１３に記載の機器。
【請求項１５】
コンピュータによって読取り可能な非一時的プログラム記憶装置であって、
ビューアーの位置に基づいてディスプレイに表示されるマルチ・ビュー・コンテンツを観察するための位置決め区域内に少なくとも部分的に配置されたトリガ領域を画定することと、
前記ビューアーの位置が前記トリガ領域内に位置付けられるとき、１つ又は複数のインセンティブ効果をトリガすることと、
をコンピュータによって実行可能な命令のプログラムを明白に実施する非一時的プログラム記憶装置。
【手続補正２】
【補正対象書類名】明細書
【補正対象項目名】０１１０
【補正方法】変更
【補正の内容】
【０１１０】
各図におけるフロー・チャート及び／又はブロック図には、本開示の様々な実施形態によるシステム、方法、及びコンピュータ・プログラム製品の実現可能な実装形態の構成、動作、及び機能が示してある。この点に関して、フロー・チャート又はブロック図における各ブロックは、コードのモジュール、セグメント、又は一部分を表してもよく、これは、指定された論理機能を実施するための、１つ又は複数の実行可能な命令を含む。代替実装形態によっては、ブロックに記された各機能が、各図に記された順序と異なって実行されてもよいことにも留意されたい。たとえば、必要とする機能に応じて、連続して示した２つのブロックを、実際には実質上同時に実行してもよく、又はこのブロックをときとして逆の順序で実行してもよく、又は各ブロックを代替の順序で実行してもよい。ブロック図及び／又はフロー・チャートの各ブロック、並びにブロック図及び／又はフロー・チャートでの各ブロックの組合せは、指定された機能若しくは動作を実行する特殊目的のハードウェア・ベースのシステム、又は特殊目的のハードウェアとコンピュータ命令の組合せによって実施できることにも留意されよう。明示的に説明されてはいないが、この実施形態は、任意の組合せ又はサブコンビネーションで利用されてもよい。
なお、上述の実施形態の一部又は全部は、以下の付記のように記載され得るが、以下には限定されない。
（付記１）
ユーザの頭の位置に応じた、表示画面（１０６）へのマルチ・ビュー・コンテンツの表示に関連付けられるように構成された方法であって、
前記表示されたマルチ・ビュー・コンテンツを観察するための位置決め区域（５００）を生成すること（９０１）と、
前記位置決め区域（５００）内に少なくとも部分的に配置されたトリガ領域（５５０）を画定すること（９０２）と、
前記ユーザの頭の位置が前記トリガ領域（５５０）内に位置付けられるとき、１つ又は複数のインセンティブ効果をトリガして、前記ユーザが前記位置決め区域（５００）内に留まるよう促すこと（９０３）と、
を含む、方法。
（付記２）
前記位置決め区域（５００）及び前記トリガ領域（５５０）が、両方ともピラミッド形状を有する、付記１に記載の方法。
（付記３）
前記１つ又は複数のインセンティブ効果が、
前記トリガ領域（５５０）内の前記ユーザの頭の位置に応じて前記表示画面を暗くするための減光効果と、
前記トリガ領域内でのユーザの頭の動きに関連付けられる視差効果の強度を適応させるための視差強度効果と、
前記表示画面（１０６）上での方向を示す１つ又は複数の視覚的合図と、
のうち、少なくとも１つを含む、付記１又は２に記載の方法。
（付記４）
前記減光効果は、前記トリガ領域（５５０）内に位置付けられた前記ユーザの頭の位置に関連付けられる画角が増すときに増大する、付記３に記載の方法。
（付記５）
前記減光効果が、前記ユーザの頭の位置の前記画角とともに直線的に増大する、付記４に記載の方法。
（付記６）
前記トリガ領域（５５０）内に位置付けられた前記ユーザの頭の位置に関連付けられる前記画角が増すと、前記視差強度効果によって、前記画面（１０６）に表示される前記マルチ・ビュー・コンテンツに現れる各要素の移動速度が低下する、付記３〜５のいずれかに記載の方法。
（付記７）
前記１つ又は複数のインセンティブ効果が可逆的である、付記１〜６のいずれかに記載の方法。
（付記８）
前記マルチ・ビュー・コンテンツが取得装置（１０３）によって取得されており、前記位置決め区域（５００）が、前記取得装置（１０３）の１つ又は複数の得られた取得パラメータ、及び前記表示画面（１０６）の１つ又は複数の得られたパラメータに基づいて確立される、付記１〜７のいずれかに記載の方法。
（付記９）
ユーザの頭の位置に応じて、画面（１０６）に表示されるマルチ・ビュー・コンテンツを観察する前記ユーザに情報を提示するのに適した機器であって、
前記表示されたマルチ・ビュー・コンテンツを観察するための位置決め区域（５００）を生成するための手段（１０４Ｂ）と、
前記位置決め区域内に少なくとも部分的に配置されたトリガ領域（５５０）を画定するための手段（１０４Ｃ）と、
前記ユーザの頭の位置が前記トリガ領域（５５０）内に位置付けられるとき、１つ又は複数のインセンティブ効果をトリガして、前記ユーザが前記位置決め区域（５００）内に留まるよう促すための手段（１０４Ｄ）と、
を備える、機器。
（付記１０）
前記位置決め区域（５００）及び前記トリガ領域（５５０）が、両方ともピラミッド形状を有する、付記９に記載の機器。
（付記１１）
前記１つ又は複数のインセンティブ効果が、
前記トリガ領域（５５０）内の前記ユーザの頭の位置に応じて前記表示画面（１０６）を暗くするための減光効果と、
前記トリガ領域（５５０）内でのユーザの頭の動きに関連付けられる視差効果の強度を適応させるための視差強度効果と、
前記表示画面（１０６）上での方向を示す１つ又は複数の視覚的合図と、
のうち、少なくとも１つを含む、付記８又は９に記載の機器。
（付記１２）
前記トリガ領域（５５０）内に位置付けられた前記ユーザの頭の位置に関連付けられる画角が増すと、前記減光効果が前記表示画面（１０６）の明度を増大させ、またその逆のことも言える、付記１１に記載の機器。
（付記１３）
前記トリガ領域（５５０）内に位置付けられた前記ユーザの頭の位置に関連付けられる前記画角が増すと、前記視差強度効果によって、前記画面（１０６）に表示される前記マルチ・ビュー・コンテンツに現れる各要素の移動速度が低下する、付記１１又は１２に記載の機器。
（付記１４）
前記位置決め区域及び／又は前記トリガ区域を表示するように構成される、付記９〜１３のいずれかに記載の機器。
（付記１５）
コンピュータによって読取り可能で、ユーザの頭の位置に応じた、表示画面（１０６）へのマルチ・ビュー・コンテンツの表示に関連付けられるように構成された方法を実行するための、前記コンピュータによって実行可能な命令のプログラムを明白に実施する、持続的なプログラム記憶装置であって、前記方法が、
前記表示されたマルチ・ビュー・コンテンツを観察するための位置決め区域（５００）を生成すること（９０１）と、
前記位置決め区域内に少なくとも部分的に配置されたトリガ領域（５５０）を画定すること（９０２）と、
前記ユーザの頭の位置が前記トリガ領域内に位置付けられるとき、１つ又は複数のインセンティブ効果をトリガして、前記ユーザが前記位置決め区域（５００）内に留まるよう促すこと（９０３）と、
を含む、持続的なプログラム記憶装置。
【手続補正３】
【補正対象書類名】図面
【補正対象項目名】図８Ａ
【補正方法】追加
【補正の内容】
【図８Ａ】
2020523957.tif 000001
【手続補正４】
【補正対象書類名】図面
【補正対象項目名】図８Ｂ
【補正方法】追加
【補正の内容】
【図８Ｂ】
2020523957.tif 000002
【手続補正５】
【補正対象書類名】図面
【補正対象項目名】図８Ｃ
【補正方法】追加
【補正の内容】
【図８Ｃ】
2020523957.tif 000003
【手続補正６】
【補正対象書類名】図面
【補正対象項目名】図８
【補正方法】削除
【補正の内容】